(57)【要約】  映像信号のフレームレート変換装置において、２４ｆｐｓの映像信号が入力され、入力されたフレームを繰り返すプルダウン処理にて生成されたフレームの繰り返し情報をプルダウンの位相情報に変換し、その位相情報を用いてフレームレート変換を行うために、入力された映像信号のフレームを所定の繰り返し数に従い、映像信号の同一フレームを複数枚生成する繰り返しフレーム生成手段と、映像信号フレームの繰り返し数を示すフレーム位相情報を基に、フレームレートを変換するフレームレート変換手段を具備する。従って、２４ｆｐｓの映像を入力した場合でも、フレームレート変換において、プルダウン判定するまでの間に、画面がジャダーした映像となることが抑制される。
2012137269.tif 000002
【特許請求の範囲】
【請求項１】
入力された映像信号のフレームを所定の繰り返し数に従い、映像信号の同一フレームを複数枚生成する繰り返しフレーム生成手段と、
映像信号フレームの繰り返し数を示すフレーム位相情報を基に、フレームレートを変換するフレームレート変換手段とを具備する
ことを特徴とする映像信号のフレームレート変換装置。
【請求項２】
前記請求項１記載のフレームレート変換装置において、
前記繰り返しフレーム生成手段は、
入力された映像信号をｍ：ｎ（ｍとｎは整数）のプルダウンの繰り返し数のフレームに従い、映像信号の同一フレームを複数枚生成する
ことを特徴とする映像信号のフレームレート変換装置。
【請求項３】
入力された映像信号のフレームを所定の繰り返し数に従い、映像信号の同一フレームを複数枚生成する繰り返しフレーム生成手段と、
前記フレーム生成手段と入力された映像信号とを入力映像の方式により切り換える切換手段と、
切換手段の出力映像からフィルム映像を検出するフィルム検出手段と、
フレームレートを変換するフレームレート変換手段とを具備し、
前記フレーム生成手段を選択した場合は、前記フレームレート変換手段は映像信号フレームの繰り返し数を示すフレーム位相情報を基に、入力された映像信号を選択した場合はフィルム検出手段からの位相情報を基に、フレームを変換する
ことを特徴とする映像信号のフレームレート変換装置。
【請求項４】
前記請求項３記載のフレームレート変換装置において、
前記繰り返しフレーム生成手段は、
入力された映像信号をｍ：ｎ（ｍとｎは整数）のプルダウンの繰り返し数のフレームに従い、映像信号の同一フレームを複数枚生成する
ことを特徴とする映像信号のフレームレート変換装置。
【請求項５】
入力された映像信号のフレームを所定の繰り返し数に従い、映像信号の同一フレームを複数枚生成する繰り返しフレーム生成手段と、
入力されたインターレース映像信号をプログレッシブ映像信号に変換するインターレース／プログレッシブ変換手段と、
入力されたプログレッシブ映像信号とを入力信号のフォーマット検出に応じて選択する選択手段と、
入力された映像信号からフィルム映像を検出するフィルム検出手段と、
前記フィルム検出結果に応じてインターレース／プログレッシブ変換手段の走査内挿を切り替える順次走査フレーム生成手段と、
前記フィルム検出手段にて検出されたフィルム位相情報または映像信号のフレーム数の繰り返しを示すフレーム位相情報を基にフレームを変換するフレームレート変換手段とを具備した
ことを特徴とする映像信号のフレームレート変換装置。
【請求項６】
入力された映像信号のフレームを所定の繰り返し数に従い、映像信号の同一フレームを複数枚生成する繰り返しフレーム生成手段と、
入力されたインターレース映像信号をプログレッシブ映像信号に変換するインターレース／プログレッシブ変換手段と、
入力された映像信号がプログレッシブ映像信号の場合、その入力されたプログレッシブ映像信号を出力することを、入力信号のフォーマット検出に応じて選択する選択手段と、
入力された映像信号からフィルム映像を検出する第１のフィルム検出手段と、
前記フィルム検出結果に応じてインターレース/プログレッシブ変換手段の走査内挿を切り替える順次走査フレーム生成手段と、
前記順次走査フレーム生成手段の出力からフィルム映像を検出する第２のフィルム検出手段と、
前記第１のフィルム検出手段にて検出された第１のフィルム位相情報または映像信号フレームの繰り返しを示すフレーム繰り返し情報を前記第２のフィルム検出手段に入力し、前記第２のフィルム検出手段の検出判定の設定を切替え、第２のフィルム検出結果を基にフレームを変換するフレームレート変換手段とを具備した
ことを特徴とする映像信号のフレームレート変換装置。
【請求項７】
前記請求項６記載の映像信号のフレームレート変換装置において、
前記第２のフィルム検出手段の検出判定の設定は、判定時のフレーム数の閾値であり、第１のフィルム検出で判定したプルダウンの判定フレーム数を他のプルダウンの判定フレーム数の閾値より小さく設定する
ことを特徴とする映像信号のフレームレート変換装置。
【請求項８】
前記請求項６記載の映像信号のフレームレート変換装置において、
前記第２のフィルム検出手段の検出判定の設定は、プルダウン方式の比較であり、第１のフィルム検出で判定したプルダウン方式と第２のフィルム検出で判定したプルダウン方式とが異なる場合、第２のフィルム検出判定の結果を無効にし、第２のフィルム検出結果のフィルム処理のフレームレート変換を行わない
ことを特徴とする映像信号のフレームレート変換装置。
【請求項９】
前記請求項６記載の映像信号のフレームレート変換装置において、
前記第２のフィルム検出手段の検出判定の設定は、プルダウン方式の比較であり、第２のフィルム検出で判定したプルダウン方式の検出結果が変動する場合、第１のフィルム検出で判定したプルダウン方式が一定であり、同じプルダウン方式であれば、第２のフィルム検出判定の結果を保持し、前記保持された第２のフィルム検出結果に応じてフレームレート変換を行う
ことを特徴とする映像信号のフレームレート変換装置。
【請求項１０】
入力された映像信号のフレームを所定の繰り返し数に従い、映像信号の同一フレームを複数枚生成する繰り返しフレーム生成手段と、
入力されたインターレース映像信号をプログレッシブ映像信号に変換するインターレース／プログレッシブ変換手段と、
前記繰り返しフレーム手段からの出力、前記インターレース／プログレッシブ変換手段からの出力、及び入力された映像信号のうち、少なくとも１つが入力され、その入力のうちいずれかを入力信号のフォーマット検出に応じて選択する選択手段と、
入力された映像信号からフィルムを検出する第１のフィルム検出手段と、
前記フィルム検出結果に応じてインターレース/プログレッシブ変換手段の走査内挿を切り替える順次走査フレーム出力手段と、
順次走査フレーム出力からフィルムを検出する第２のフィルム検出手段と、
前記第１のフィルム検出手段にて検出された第１のフィルム位相情報または映像信号のフレームの繰り返し数を示すフレーム位相情報を前記第２のフィルム検出手段に入力し、前記第２のフィルム検出手段の検出判定の設定を切替え、第２のフィルム検出結果を基にフレームを変換するフレームレート変換手段とを具備した
ことを特徴とする映像信号のフレームレート変換装置。
【請求項１１】
前記請求項１０記載の映像信号のフレームレート変換装置において、
前記第２のフィルム検出手段の検出判定の設定は、判定時のフレーム数の閾値であり、第１のフィルム検出で判定したプルダウンの判定フレーム数を他のプルダウンの判定フレーム数の閾値より小さく設定する
ことを特徴とする映像信号のフレームレート変換装置。
【請求項１２】
前記請求項１０記載の映像信号のフレームレート変換装置において、
前記第２のフィルム検出手段の検出判定の設定は、プルダウン方式の比較であり、第１のフィルム検出で判定したプルダウン方式と第２のフィルム検出で判定したプルダウン方式が異なる場合、第２のフィルム検出判定の結果を無効にし、フィルム処理のフレームレート変換を行わない
ことを特徴とする映像信号のフレームレート変換装置。
【請求項１３】
前記請求項１０記載の映像信号のフレームレート変換装置において、
前記第２のフィルム検出手段の検出判定の設定は、プルダウン方式の比較であり、第２のフィルム検出で判定したプルダウン方式の検出結果が変動する場合、第１のフィルム検出で判定したプルダウン方式が一定、かつ同一プルダウン方式の場合、第２のフィルム検出判定の結果は同一プルダウン方式を保持し、前記保持された第２のフィルム検出結果に応じてフレームレート変換を行う
ことを特徴とする映像信号のフレームレート変換装置。
【請求項１４】
入力された映像信号のフレームを所定の繰り返し数に従い、映像信号のフレームを複数枚生成する繰り返しフレーム生成ステップと、
映像信号フレームの繰り返し数を示すフレーム位相情報を基に、フレームレートを変換するフレームレート変換ステップとを具備する
ことを特徴とする映像信号のフレームレート変換方法。
【請求項１５】
入力された映像信号のフレームを所定の繰り返し数に従い、映像信号のフレームを複数枚生成する繰り返しフレーム生成ステップと、
前記フレーム生成手段と入力された映像信号とを入力映像の方式により切り換える切換ステップと、
切換手段の出力映像からフィルム映像を検出するフィルム検出ステップと、
フレームレートを変換するフレームレート変換ステップとを具備し、
前記フレーム生成ステップを選択した場合は、映像信号フレームの繰り返しを示すフレーム繰り返し情報を基に、入力された映像信号を選択した場合はフィルム検出ステップからの情報を基にフレームを変換する
ことを特徴とする映像信号のフレームレート変換方法。
【請求項１６】
放送波や映像機器から入力された信号を処理する入力処理手段と、
前記入力処理手段の出力映像のフレームレートを変換する前記請求項１〜請求項１３記載のいずれかに記載のフレームレート変換装置と、
フレームレート変換された映像信号を表示手段に表示する出力変換手段とを具備する
ことを特徴とする映像処理装置。
【請求項１７】
放送波からデコードされた信号や記録手段から再生された信号を処理する入力変換手段と、
前記入力変換手段の出力映像のフレームレートを変換する前記請求項１〜請求項１３記載のいずれかに記載のフレームレート変換装置と、
フレームレート変換された映像信号を外部へ出力する出力処理手段とを具備する
ことを特徴とする映像処理装置。
【発明の詳細な説明】
【技術分野】
【０００１】
本発明は、表示装置や映像信号処理装置などに使用されるフレームレートの変換やプルダウン信号のデジャダーを行うフレームレート変換装置及びその方法に関するものである。
【背景技術】
【０００２】
近年、液晶表示デバイスやプラズマ表示デバイス等を用いたテレビジョン受像機において、大画面化、高精細化に伴い、より高画質な映像を表示することが重要視されてきており、画面内の物体や表示された映像の動きを滑らかに表示する為、フレームレートを変換する映像処理が重要視されてきている。また、２４ｆｐｓで作成されたフィルム映像や２４ｆｐｓで作成された映像を２−３プルダウン方式で形成されたフィルム映像信号に変換したり、入力された映像を２−２プルダウン方式で変換したり、これらプルダウン方式に変換されたインターレース信号をプログレッシブ信号に変換して順次走査フレームを生成することが行われ、プルダウン方式に変換された映像信号の動きを滑らかに表示しながらフレームレートを表示装置のフレームレートに変換するフレームレート変換装置及びその方法が重要となってきている。【０００３】
従来のフレームレート変換装置では、例えば信号変換部でインターレース信号かノンインターレース信号かを判定し、インターレース時はインターレース解除技術を用いて、順次走査に変換してからフレームレート変換回路に入力され、ノンインターレース信号はフレームレート変換回路に入力される。入力された信号は映画由来検出部で映画由来かどうかを判定し、映画由来フラグをインターレース及びフレームレート変換に入力している（特許文献１参照）。
【先行技術文献】
【特許文献】
【０００４】
【特許文献１】特開２００５−２０８６１３号公報（図１）
【発明の概要】
【発明が解決しようとする課題】
【０００５】
上記のような従来のフレームレート変換装置では、２４ｆｐｓの映像信号が映像発信装置でプルダウン変換された映像信号が入力され、３−２プルダウンや２−２プルダウンを検出するまでに映画由来検出部で少なくとも繰り返しシーケンスの１周期以上のフレーム数が必要となり、検出の安定性を考えるとさらに数周期必要となり、検出時間を要するため、フィルム処理動作を開始するまでに時間がかかる。フィルム処理に切り替わるまでの間、出力画像の動きが繰り返しフレーム毎に切り替わる為、出力画像がジャダーして見えた。また、フレーム毎の変化が少ない映像の場合、異なるフレームと同一フレームとの差が少なくなる為、３−２プルダウンや２−２プルダウンを検出することが難しく、検出時間を要するとともに安定して判定することが困難であった。さらに、フレームレート変換の前段に順次走査線変換や階調補正や輪郭補正などの画質補正が行われた場合、フレームレート変換に補正されたプルダウン信号が入力される為、本来同一フレームと判定するフレームが画質補正の影響を受けて正しく３−２プルダウンや２−２プルダウンを検出することが困難であるという課題を有していた。【０００６】
本発明は、上記の点に鑑み、２４ｆｐｓの映像が入力された場合のフレームレート変換性能を向上させたフレームレート変換装置を提供すること、フレームレート変換時のフィルム検出判定時間を短縮または判定の安定性を実現することでジャダーの少ないフレームレート変換装置を提供すること、また当該フレームレート変換装置を用いて表示装置や映像処理装置の画質を向上させることを目的とする。
【課題を解決するための手段】
【０００７】
上記課題を解決するため、本発明では、例えば、２４ｆｐｓの映像信号が入力され、その入力されたフレームを繰り返すプルダウン処理にて生成されたフレームの繰り返し情報をプルダウンの位相情報に変換し、その位相情報を用いてフレームレート変換を行う。【０００８】
具体的に説明すると、請求項１記載のフレームレート変換装置は、入力された映像信号のフレームを所定の繰り返し数に従い、映像信号のフレームを複数枚生成する繰り返しフレーム生成手段と、映像信号フレームの繰り返しを示すフレーム繰り返し情報を基に、フレームレートを変換するフレームレート変換手段を具備することを特徴とする。【０００９】
請求項３記載のフレームレート変換装置は、入力された映像信号のフレームを所定の繰り返し数に従い、映像信号のフレームを複数枚生成する繰り返しフレーム生成手段と、前記フレーム生成手段と入力された映像信号とを入力映像の方式により切り換える切換手段と、切換手段の出力映像からフィルム映像を検出するフィルム検出手段と、フレームレートを変換するフレームレート変換手段とを具備し、前記フレーム生成手段を選択した場合は、映像信号フレームの繰り返し数を示すフレーム位相情報を基に、入力された映像信号を選択した場合はフィルム検出手段からの位相情報を基にフレームを変換することを特徴とする。【００１０】
請求項５記載のフレームレート変換装置は、入力された映像信号のフレームを所定の繰り返し数に従い、映像信号のフレームを複数枚生成する繰り返しフレーム生成手段と、入力されたインターレース映像信号をプログレッシブ映像信号に変換するインターレース／プログレッシブ変換手段と、入力されたプログレッシブ映像信号を出力するプログレッシブ映像処理手段と、入力された映像信号からフィルム映像を検出するフィルム検出手段からなる順次走査フレーム生成手段と、前記フィルム検出手段にて検出されたフィルム位相情報または映像信号フレームの繰り返しを示すフレーム位相情報を基にフレームを変換するフレームレート変換手段を具備することを特徴とする。【００１１】
請求項６記載のフレームレート変換装置は、入力された映像信号のフレームを所定の繰り返し数に従い、映像信号のフレームを複数枚生成する繰り返しフレーム生成手段と、入力されたインターレース映像信号をプログレッシブ映像信号に変換するインターレース／プログレッシブ変換手段と、入力された映像信号がプログレッシブ映像信号の場合、その入力されたプログレッシブ映像信号を出力することを、入力信号のフォーマット検出に応じて選択する選択手段と、入力された映像信号からフィルム映像を検出する第１のフィルム検出手段と、前記フィルム検出結果に応じてインターレース/プログレッシブ変換手段の走査内挿を切り替える順次走査フレーム生成手段と、順次走査フレーム生成手段の出力からフィルム映像を検出する第２のフィルム検出手段と前記第１のフィルム検出手段にて検出された第１のフィルム位相情報または映像信号フレームの繰り返しを示すフレーム位相情報を第２のフィルム検出手段に入力し、第２のフィルム検出手段の検出判定の設定を切替え、第２のフィルム検出結果を基にフレームを変換するフレームレート変換手段を具備することを特徴とする。
【発明の効果】
【００１２】
本発明によれば、２４ｆｐｓの映像信号が入力された場合、３−２プルダウンや２−２プルダウンを検出するまでに少なくとも繰り返しシーケンスの１周期以上のフレーム数が必要であったが、プルダウンの繰り返しフレーム情報を基にフレームレート変換を行うことで、プルダウン検出にかかる時間を最短にでき、ビデオ処理からフィルム処理に切り替わるまでの間、出力画像の動きが繰り返しフレーム毎に切り替わることを防ぎ、出力画像のジャダーを防ぐことができる。また、フレーム毎の変化が少ない映像の場合、異なるフレームと同一フレームとの差が少なくなるが、プルダウンの繰り返しフレーム情報を基にフレームレート変換を行う為、入力された映像のフレーム差分の大きさに関係なく、フレームレート変換を行うことができる。さらに、フレームレート変換の前段に階調補正や輪郭補正などの画質補正が行われた場合、フレームレート変換に補正されたプルダウン信号が入力される為、本来同一フレームと判定するフレームが画質補正の影響を受けて正しく３−２プルダウンや２−２プルダウンを検出することが困難であったが、画質補正の影響を受けなくすることができる。【００１３】
また、順次走査変換にて使用されるフィルム検出結果を基にフィルム位相情報に変換することで、フレームレート変換内でフィルムを検出せずにフィルム処理のフレームレート変換に切替えることができる。また、入力された映像のフレーム差分の大きさに関係なく、フレームレート変換を行うことができるとともに、順次走査変換で内挿処理された影響や順次走査変換で発生したノイズの影響を受けずにフィルム処理のフレームレート変換を行うことができる。【００１４】
また、プルダウン処理の繰り返しフレーム情報または順次走査変換で検出した第１のフィルム検出情報を基に、フレームレート変換用に用意した第２フィルム検出の判定レベルを調整することで、第２のフィルム検出の判定フレーム時間を短く、または第２のフィルム検出結果を第１のフィルム検出結果と比較することで、より精度のよいフィルム検出結果を用いてフレームレート変換を行うことができる。
【図面の簡単な説明】
【００１５】
【図１】図１は本発明の実施形態１のフレームレート変換装置のブロック図である。
【図２】図２は本発明の実施形態２のフレームレート変換装置のブロック図である。
【図３】図３は本発明の実施形態３のフレームレート変換装置のブロック図である。
【図４】図４は本発明の実施形態４のフレームレート変換装置のブロック図である。
【図５】図５は本発明の実施形態１の動作を説明するタイミング図である。
【図６】図６は本発明の実施形態１の動作を説明するタイミング図である。
【図７】図７は本発明の実施形態５のフレームレート変換装置を用いた映像処理装置のブロック図である。
【発明を実施するための形態】
【００１６】
以下、本発明の実施形態を図面に基づいて詳細に説明する。
【００１７】
（実施形態１）
図１は、本発明の実施形態１の映像信号のフレームレート変換装置に関するブロック図である。図１によれば、入力部１００から入力された映像信号Ｓ１００はプルダウン処理手段１０１に入力され、メモリ１０２に書き込まれる。読出し制御手段１０３はフレーム繰り返し読出し制御信号Ｓ１０３Ａに応じてメモリ１０２からプルダウン映像信号Ｓ１０２を読み出し、フレームレート変換手段１０５に入力される。また、読出し制御手段１０３はフレーム繰り返し情報Ｓ１０３Ｂを出力し、このフレーム繰り返し情報Ｓ１０３Ｂは位相情報変換手段１０４に入力され、位相情報変換手段１０４でフレーム位相情報Ｓ１０４に変換する。フレームレート変換手段１０５は、フレーム位相情報Ｓ１０４に応じてフレームレート変換を行い、出力部１０６から映像信号Ｓ１０５が出力される。
【００１８】
図５は実施形態１のフレームレート変換装置の各信号のタイミング図であり、図５を用いて動作を説明する。
【００１９】
入力部１００から２４ｆｐｓで形成されたフレームＡ、フレームＢ、フレームＣ、フレームＤのフィルム映像信号Ｓ１００が入力され、プルダウン処理手段１０１に入力される。フィルム映像信号Ｓ１００はメモリ１０２に２４Ｈｚの垂直周波数で書き込まれる。プルダウン処理手段（繰り返しフレーム生成手段）１０１では、入力された映像信号を６０Ｈｚの垂直周波数で読み出した場合、読出し制御手段１０３で生成された同一フレームを複数枚生成する為、メモリ１０２のアドレス等を制御する読出し制御信号Ｓ１０３Ａにより、フレームＡを３回、フレームＢを２回、フレームＣを３回、フレームＤを２回と３：２プルダウン形式となるプルダウン映像信号Ｓ１０２を出力する。一方、読出し制御手段１０３から繰り返しフレームを示すフレーム繰り返し情報Ｓ１０３Ｂが出力されて、位相情報変換手段１０４に入力される。位相情報変換手段１０４では繰り返しフレームの周期に相当するフレームを６０Ｈｚ毎にフレーム位相情報Ｓ１０４に変換し、このフレーム位相情報Ｓ１０４に応じてフレームレート変換手段１０５でフレームレートを変換する。図５の映像信号Ｓ１０５は６０Ｈｚの垂直周波数で出力した場合を示しており、フレームＺはフレームＡの一つ前のフレーム映像である。フレームレート変換手段１０５では、動き補償を用いたフレーム補間を行っており、位相情報Ｓ１０４に応じてフレームＺ：フレームＡ＝４：１、フレームＺ：フレームＡ＝２：３、フレームＡ、フレームＡ：フレームＢ＝３：２、フレームＡ：フレームＢ＝１：４の重み付けとなる動き補償フレーム補間処理を行う。これにより、プルダウン映像信号Ｓ１０２をそのまま繰り返しフレームで出力した場合に発生するジャダーを防いだデジャダー処理が行われ、フレームＡからフレームＢ、フレームＣ、フレームＤと映像の動きが滑らかに変換して表示することができる。
【００２０】
また、図６は実施形態１のフレームレート変換装置の各信号のタイミング図であり、出力垂直周波数を２倍に変換した場合を表している。図６を用いて図５と異なる部分のみ説明する。
【００２１】
フレームレート変換手段１０５の出力周波数を１２０Ｈｚとした場合、位相情報Ｓ１０４の２倍の周波数が必要となる為、出力周波数でトグルしてフレームの極性を示す信号Ｓ１０４Ｔを作成し、位相情報Ｓ１０４と信号Ｓ１０４Ｔに応じて２倍の周波数へ動き補償を用いたフレーム補間を行い、フレームＺ、フレームＺ：フレームＡ＝４：１、フレームＺ：フレームＡ＝３：２、フレームＺ：フレームＡ＝２：３、フレームＺ：フレームＡ＝１：４、フレームＡ、フレームＡ：フレームＢ＝４：１、フレームＡ：フレームＢ＝３：２、フレームＡ：フレームＢ＝２：３、フレームＡ：フレームＢ＝１：４の重み付けとなる動き補償フレーム補間処理を行う。これにより、プルダウン映像信号Ｓ１０２をそのままフレーム繰り返し出力した場合に発生するジャダーを防いだデジャダー処理が行われ、フレームＡからフレームＢ、フレームＣ、フレームＤと映像のフレームレートを上げて動きを滑らかに変換して表示することができる。
【００２２】
ここで、入力信号として２４ｆｐｓの映像信号が入力され、３：２プルダウン処理を行う場合を１例として記載したが、入力信号として２４ｆｐｓに限定することを意味するものではなく、２５ｆｐｓ、３０ｆｐｓ、それ以上の映像信号を入力しても構わない。また、プルダウン処理についても３：２プルダウン処理に限定するものではなく、２：２プルダウンや他のｍ：ｎ（ｍとｎは整数）のプルダウン形式であっても構わない。また、フレームレート変換手段１０５の出力垂直周波数についても位相情報と重み付けを変化させることで様々なフレームレート変換が可能である。また、映像処理の一部をソフトウエアで実現しても構わない。なお、プルダウン処理手段１０１、フレームレート変換手段１０５とメモリ１０２等は同一半導体であっても、別々の半導体を組み合わせて構成された表示装置や映像処理装置であっても構わない。
【００２３】
（実施形態２）
図２は、本発明の実施形態２の映像信号のフレームレート変換装置に関するブロック図である。図１と同一構成については同一番号を付与することで説明を省略する。図２によれば、入力部２００から入力された順次走査映像信号Ｓ２００は切換手段２０２に入力され、入力部２０１から入力された選択信号Ｓ２０１により切換手段２０２は順次走査映像信号Ｓ２００とプルダウン映像信号Ｓ１０２のいずれかを選択した映像信号Ｓ２０２がフレームレート変換手段２０３に入力される。選択信号Ｓ２０１はリモコン等で入力信号が切替えられた場合や入力されている信号を自動的に検出してマイコン等から制御される。映像信号Ｓ２０２はフィルム検出手段２０４と動き補償を用いたフレーム補間手段２０６に入力される。フィルム検出手段２０４で検出された第２の位相情報Ｓ２０４と第１の位相情報Ｓ１０４は切換手段２０５にていずれかが選択され、位相情報Ｓ２０５として出力される。この位相情報Ｓ２０５に応じて動き補償を用いたフレーム補間手段２０６でフレームレート変換を行い、出力部２０７から映像信号Ｓ２０６が出力される。
【００２４】
選択信号Ｓ２０１で順次走査映像信号Ｓ２００を選択した場合はフィルム検出手段２０４の検出した結果を位相情報Ｓ２０５として選択することで順次走査映像がプルダウン信号か非プルダウン信号かを判定し、プルダウン映像であれば検出した位相情報で動き補償を用いたフレーム補間でプルダウン信号のデジャダーを行い、予めフィルム映像が入力され、プルダウン方式を内部で作成している場合はフレーム繰り返し情報を用いて位相情報を作成し、プルダウン検出の判定時間を短縮するとともに安定した判定結果を得ることができる為、ジャダーの発生を低減することができる。
【００２５】
（実施形態３）
図３は、本発明の実施形態３の映像信号のフレームレート変換装置に関するブロック図である。図３によれば、入力部３００から入力された映像信号Ｓ３００は入力フォーマット検出手段３０１と、プルダウン処理手段３０２と、インターレース／プログレッシブ（ＩＰ）変換手段３０３と、フィルム検出手段３０４に入力される。入力フォーマット検出手段３０１では入力された映像信号Ｓ３００が順次走査方式であるか否か、２４ｆｐｓ等のフィルム映像であるか否か、インターレース映像であるか否かのフォーマットを検出し、選択信号Ｓ３０１を出力する。入力映像信号Ｓ３００が２４ｆｐｓ等のフィルム映像であった場合は前記実施形態１で説明した通り、プルダウン処理され、選択手段３０５でプルダウン映像Ｓ３０２Ａが選択され、選択映像信号Ｓ３０５を出力するとともにフレーム繰り返し情報Ｓ３０２Ｂを位相情報変換手段３０６に入力する。入力映像信号Ｓ３００がインターレース映像の場合はインターレース／プログレッシブ変換手段３０３で順次走査映像信号に変換される。フィルム検出手段３０４はプルダウン処理された入力か否かを判定し、インターレース信号がプルダウン処理された場合は、インターレース／プログレッシブ変換手段３０３では、検出結果Ｓ３０４に応じて同一フレームから構成された奇数フィールド、偶数フィールドからインターレース／プログレッシブ変換された順次走査映像信号Ｓ３０３が得られ、選択手段３０５で順次走査映像信号Ｓ３０３が選択され、選択映像信号Ｓ３０５を出力するとともにフィルム検出結果Ｓ３０４を位相情報変換手段３０６に入力する。順次走査方式の信号がプルダウン処理されている場合は入力映像信号Ｓ３００が選択手段３０５で選択され、選択映像信号Ｓ３０５を出力するとともにフィルム検出結果Ｓ３０４を位相情報変換手段３０６に入力する。位相情報変換手段３０６では、フレーム繰り返し情報Ｓ３０２Ｂまたはフィルム検出結果Ｓ３０４より、フレーム位相情報Ｓ３０６に変換し、選択映像信号Ｓ３０５とそれに応じた位相情報Ｓ３０６とを基にフレームレート変換手段３０７で動き補償を用いたフレームレート変換を行い、映像出力部３０８からフレームレート変換された映像信号Ｓ３０７を出力する。
【００２６】
ここで、入力映像信号Ｓ３００が順次走査方式の信号の場合、選択手段３０５で入力信号Ｓ３００を選択すると記載したが、入力されたプログレッシブ映像信号のフォーマットを変更する等、必要に応じてプログレッシブ処理を行っても構わない。
【００２７】
（実施形態４）
図４は、本発明の実施形態４の映像信号のフレームレート変換装置に関するブロック図である。実施形態３と同一構成については同一番号を付与することで説明を省略する。図４によれば、図３に示したフィルム検出手段３０４を第１のフィルム検出手段３０４として、第２のフィルム検出手段４０２が設けられる。
【００２８】
本実施形態では、選択映像信号Ｓ３０５とそれに応じた位相情報Ｓ３０６とはフレームレート変換手段４０１に入力される。入力された選択映像信号Ｓ３０５は第２のフィルム検出手段４０２と動き補償を用いたフレーム補間手段４０３とに入力される。第２のフィルム検出手段４０２では選択映像信号Ｓ３０５がプルダウン処理された映像か否かを検出し、プルダウン映像を検出した場合は、フレーム位相情報Ｓ４０２を、動き補償を用いたフレーム補間手段４０３に入力し、動き補償を用いたフレームレート変換を行い、映像出力部４０４からフレームレート変換された映像信号Ｓ４０３を出力する。第２のフィルム検出手段４０２では、位相情報変換手段３０６からの位相情報Ｓ３０６を参照し、第２のフィルム検出の判定レベルを調整することで、第２のフィルム判定の判定速度や信頼性を高めることができる。判定レベルの調整の例として、順次走査フレーム生成手段３０９で検出したプルダウン方式と同一のプルダウン方式の判定回数を決定する閾値を小さくすることで判定にかかる時間を短くできる。また、順次走査フレーム生成手段３０９で検出したプルダウン方式と異なるプルダウン方式を第２のフィルム検出手段４０２が検出した場合、第２のフィルム検出結果を有効にしない、または順次走査フレーム生成手段３０９で検出したプルダウン方式が安定して検出している場合、第２のフィルム検出手段４０２の検出結果が第１の結果と同一と別の検出結果に変動する場合、第２のフィルム検出結果を第１のフィルム検出結果と同一を保持するようにすることで、検出のＯＮ／ＯＦＦの切り替わりを低減することができる。これにより、第２のフィルム検出手段４０２を単独で持つより順次走査フレーム生成手段３０９で検出された情報を利用することで、検出時間を短縮でき、さらに安定化を図ることができる。
【００２９】
（実施形態５）
図７は、本発明の実施形態５のフレームレート変換装置を用いた映像処理装置に関するブロック図である。図７によれば、７００はＤＶＤディスクやＢｌｕ−ｒａｙディスクやハードディスク等の記録手段であり、７０１は放送波を録画した映像信号や記録メディアの映像信号を再生する入力処理手段であり、７０２は前記実施形態１から４記載のいずれかのフレームレート変換装置であり、７０３は外部へのビデオ出力または表示装置へ出力する出力処理手段であり、７０４は液晶やプラズマディスプレイ等の表示手段である。
【００３０】
記録手段７００に録画又は作成された映像データを処理する入力処理手段７０１において、２４Ｈｚのフィルム映像を生成する。この生成された２４Ｈｚのフィルム映像は、例えば実施形態１に記載されたようにフレームレート変換装置を用いて６０Ｈｚの２：３プルダウン信号を生成し、プルダウン信号周期のフレームの位相情報を基にフレームレート変換が行われる。このフレームレートが変換された映像信号は、出力処理手段７０３で外部機器と接続するため、映像の信号形式をケーブルでの接続や無線での接続ができるように処理を行う。また、表示手段７０４を用いて表示する場合は、表示手段に映像が表示できるように映像信号の他に表示の基準となるような同期信号や表示装置を制御するタイミング信号を生成処理して画面表示する。
【００３１】
ここで、表示手段７０４は画面表示するテレビジョンやディスプレイ等の映像処理装置では必要とするが、例えばＤＶＤ、Ｂｌｕ−ｒａｙやハードディスクなどの録画再生や再生等の映像処理装置では表示手段７０４を除いた構成で実現でき、外部機器との接続を行う出力端子からフレームレート変換された映像信号が出力される。
【産業上の利用可能性】
【００３２】
以上説明してきたとおり、本発明に係るフレームレート変換装置及びその方法は、表示装置や映像信号処理装置やテレビ受像機などに使用されるフレームレートの変換やプルダウン映像信号のデジャダー処理を行う方法として有用である。
【符号の説明】
【００３３】
１０１  プルダウン処理手段（繰り返しフレーム生成手段）
１０２  メモリ手段
１０３  メモリ読出し制御手段
１０４  位相情報変換手段
１０５  フレームレート変換手段
２０２，２０５  切換手段
２０４  フィルム検出手段
２０６  動き補償を用いたフレーム補間手段
３０１  入力フォーマット検出手段
３０２  プルダウン処理手段
３０３  インターレース／プログレッシブ変換手段
３０４  フィルム検出手段（第１のフィルム検出手段）
３０７、４０１  フレームレート変換手段
３０９  順次操作フレーム生成手段
４０２  第２のフィルム検出手段
４０３  動き補償を用いたフレーム補間手段
【図１】
2012137269.tif 000003
【図２】
2012137269.tif 000004
【図３】
2012137269.tif 000005
【図４】
2012137269.tif 000006
【図５】
2012137269.tif 000007
【図６】
2012137269.tif 000008
【図７】
2012137269.tif 000009
【国際調査報告】
2012137269.tif 000010
2012137269.tif 000011
2012137269.tif 000012
2012137269.tif 000013